(57)【要約】【課題】  直感的にどの方向にどの程度の補正を行っているかを判り易くすることを課題とする。【解決手段】  背面表示部１０に、横方向にブルー方向とアンバー方向の座標軸、縦方向にグリーン方向とマゼンダ方向の座標軸を表示し、この座標に、中心を補正値０として、２軸の座標上で補正量を表すことを特徴とする撮像装置。【選択図】  図６
2006020194.tif 000002
【特許請求の範囲】
【請求項１】
被写体像を撮像する撮像手段と、
表示手段に、基準から、どれくらいの程度第１の色合いであるか、及び基準から、どれくらいの程度第２の色合いであるかを表す色合い表示を行うように制御する制御手段と、
第１の選択として、所定の程度の第１の色合い、若しくは所定の程度の第２の色合いの選択、第２の選択として、前記所定の程度の第１の色合い、及び所定の程度の第２の色合いの両方の選択を行うための操作手段と、
前記操作手段の操作に基づき、前記第１の選択がされた場合、前記撮像手段によって撮像された画像データを、選択された色合いに補正し、前記操作手段の操作に基づき、前記第２の選択がされた場合、前記撮像手段によって撮像された複数の画像データのうちの一つを前記所定の程度の第１の色合いに補正し、他の一つを前記所定の程度の第２の色合いに補正する補正手段とを有し、
前記制御手段は、前記操作手段の操作に基づき、前記色合い表示を用いて、前記第１の選択がなされたこと、及び前記第２の選択がなされたことのいずれか一方を選択的に表示するように制御することを特徴とする撮像装置。
【請求項２】
被写体像を撮像する撮像手段と、
表示手段に、基準から、どれくらいの程度第１の色合いであるかを表すための基準点から第１の方向に伸ばした第１の座標軸と、基準から、どれくらいの程度第２の色合いであるかを表すための前記基準点から前記第１の方向と反対方向である第２の方向に伸ばした第２の座標軸と、基準から、どれくらいの程度第３の色合いであるかを表すための前記基準点から第３の方向に伸ばした第３の座標軸と、基準から、どれくらいの程度第４の色合いであるかを表すための前記基準点から前記第３の方向と反対方向である第４の方向に伸ばした第４の座標軸とを有する色合い座標を表すように制御する制御手段と、
前記色合い座標を用いて、所定の程度の色合いを選択する操作手段と、
前記操作手段の操作に基づき、前記撮像手段によって撮像された画像データを、選択された色合いに補正するための補正手段と、
を有することを特徴とする撮像装置。
【請求項３】
前記操作手段は、第１の選択として、所定の程度の第１の色合い、若しくは所定の程度の第２の色合いの選択、第２の選択として、前記所定の程度の第１の色合い、及び所定の程度の第２の色合いの両方の選択を行うことを特徴とする請求項２に記載の撮像装置。
【発明の詳細な説明】
【技術分野】
【０００１】
本発明は、撮像された画像に対して色処理を行う撮像装置に関する。
【背景技術】
【０００２】
近年、被写体像を撮像光学系により固体撮像素子、たとえばＣＣＤ二次元イメージセンサ上に結像して電気信号に変換し、これにより得られた静止画像の画像データを半導体メモリや磁気ディスクのような記録媒体に記録する、いわゆる電子カメラが広く普及しつつある。
【０００３】
この種の電子カメラの多くは、その時の撮影状況に応じて露出、焦点調整および色処理を自動制御するオート機能を有している。色処理は、カメラが自動制御する値に対して撮影者が意図的に色処理を変更する設定が可能なものや、１回の撮影（露光動作）を行い色処理だけを自動的かつ段階的に変更して複数枚の画像を生成するブラケット撮影を行うものがある（例えば、特許文献１、２）。
【特許文献１】特開２００３−０８７６０８号公報
【特許文献２】特開２００３−０６９８６２号公報
【発明の開示】
【発明が解決しようとする課題】
【０００４】
色の補正は、ブルー・アンバー方向とグリーン・マゼンダ方向の２つの補正があり、従来ではそれぞれ個別に設定していた。また、色処理を自動的かつ段階的に変更して複数枚の画像を生成するブラケット撮影においても、それぞれ個別に設定を行っていた。
【０００５】
さらにまた、設定された補正量やブラケット量の表示方法も個別に行っていた。
【０００６】
そのため、直感的にどの方向にどの程度の補正を行っているのかが分かり難いという課題があった。
【課題を解決するための手段】
【０００７】
上記課題を解決するために、一手段として、被写体像を撮像する撮像手段と、表示手段に、基準から、どれくらいの程度第１の色合いであるか、及び基準から、どれくらいの程度第２の色合いであるかを表す色合い表示を行うように制御する制御手段と、第１の選択として、所定の程度の第１の色合い、若しくは所定の程度の第２の色合いの選択、第２の選択として、前記所定の程度の第１の色合い、及び所定の程度の第２の色合いの両方の選択を行うための操作手段と、前記操作手段の操作に基づき、前記第１の選択がされた場合、前記撮像手段によって撮像された画像データを、選択された色合いに補正し、前記操作手段の操作に基づき、前記第２の選択がされた場合、前記撮像手段によって撮像された複数の画像データのうちの一つを前記所定の程度の第１の色合いに補正し、他の一つを前記所定の程度の第２の色合いに補正する補正手段とを有し、前記制御手段は、前記操作手段の操作に基づき、前記色合い表示を用いて、前記第１の選択がなされたこと、及び前記第２の選択がなされたことのいずれか一方を選択的に表示するように制御することを特徴とする撮像装置を提供する。
【０００８】
また、一手段として、被写体像を撮像する撮像手段と、表示手段に、基準から、どれくらいの程度第１の色合いであるかを表すための基準点から第１の方向に伸ばした第１の座標軸と、基準から、どれくらいの程度第２の色合いであるかを表すための前記基準点から前記第１の方向と反対方向である第２の方向に伸ばした第２の座標軸と、基準から、どれくらいの程度第３の色合いであるかを表すための前記基準点から第３の方向に伸ばした第３の座標軸と、基準から、どれくらいの程度第４の色合いであるかを表すための前記基準点から前記第３の方向と反対方向である第４の方向に伸ばした第４の座標軸とを有する色合い座標を表すように制御する制御手段と、前記色合い座標を用いて、所定の程度の色合いを選択する操作手段と、前記操作手段の操作に基づき、前記撮像手段によって撮像された画像データを、選択された色合いに補正するための補正手段とを有することを特徴とする撮像装置を提供する。
【発明の効果】
【０００９】
本発明によれば、撮像装置を操作する操作者は、直感的にどの方向にどの程度の補正を行っているかが判りやすくなった。
【発明を実施するための最良の形態】
【００１０】
以下、図面を参照してこの発明の実施形態を説明する。
【００１１】
図１は、本実施形態における撮像装置である電子カメラのブロック図である。
【００１２】
１はレンズ鏡筒２２に設けられた撮影レンズ、２はメカシャッタ、３はＣＣＤ等により光学像を電気信号に変換する撮像素子、４はＣＤＳ回路やＡＧＣ回路を有したプロセス回路、５はプロセス回路４のアナログ出力をデジタル信号化するＡ／Ｄ変換器、１３はＡ／Ｄ変換器５でＡ／Ｄ変換されデジタル信号を一時的に記憶する例えばＤＲＡＭ等の不バッファメモリ、７は、バッファメモリ１３から読み出された画素信号に対しオートホワイトバランス、色信号生成その他の色処理を施す画像処理部、画像処理部７により生成されたカラー画像信号は再度バッファメモリ１３に蓄えられる。
【００１３】
１４は画像処理部７により画像処理が行われた後、再度バッファメモリに蓄えられたカラー画像信号を表示するための表示処理部、１０は表示処理部で処理されたカラー画像信号を表示するカラー液晶表示等の背面表示部（カメラ本体の背面に配置しているカラー液晶ディスプレイ５３（図２参照）に相当する。）、６は画像処理部７により画像処理が行われた後、再度バッファメモリに蓄えられたカラー画像信号を圧縮する圧縮／伸張処理部、１５は、圧縮処理された信号を記録する記録再生処理部、１８はメモリカード等の記録媒体１６とカメラ本体との電気的接続を行うカメラ本体側のコネクタである。
【００１４】
この記録媒体１６は、たとえばカード型フラッシュメモリのような半導体メモリにより構成されたメモリカードが一般的に使用されるが、メモリカードに限られるものではなく、例えば、ハードディスクのような磁気記録媒体等、種々の形態のものを使用できる。
【００１５】
記録媒体１６に記録された画像を再生するときは、コネクタ１８を通して既得再生処理部１５により画像データの再生処理を行い、圧縮伸張処理部６で伸張を行い、バッファメモリ１３に一時記憶し、撮影時と同様にバッファに記録された画像を表示処理部で処理し、背面表示部１０に再生する。
【００１６】
３９は、スイッチ群３８の指示、カメラ本体に装着されている記録媒体の種類及び該記録媒体の状態（残り記憶容量等）検出、そのほか上述したカメラ本体の検出装置に応じてカメラ全体の制御を行うシステム制御回路である。
【００１７】
２８は、シャッタ２を駆動するシャッタ駆動回路、２９は、撮影レンズ１内のフォーカシングレンズを駆動するレンズ駆動回路、３０は、被写体までの距離を測定する測距回路、３１は被写体の明るさを測定する測光回路、３２はストロボ（閃光装置）である。３４は電源の状態検出及び制御を行う電源制御回路、３５は電源部であり、電池、ＤＣ−ＤＣコンバータ、通電するブロックを切り換えるスイッチ等により構成されており、前記電源制御回路３４によって制御される。
【００１８】
また、電源制御回路３４は電池装着の有無、電池の種類、電池残量の検出を行い、検出結果及びシステム制御回路３９の指示に基づいて電源部３５を制御している。
【００１９】
３６はカメラ動作状態（撮影枚数等）等を表示する表示装置で、上面液晶ディスプレイ５４（図２参照）に相当する。３７は、システム制御回路３９の撮影動作用定数、変数等を記憶する制御用メモリである。
【００２０】
３８は、後述するシステム制御回路３９の各種の動作指示の入力をするためのスイッチ群である。スイッチ群３８には例えば、メインスイッチ４０（図２のメインスイッチ部材５１に該当）や、測距測光スイッチ４２（図２のレリーズボタン２４の第１ストロークで閉成され、測距回路３０及び測光回路３１により測距及び測光を指示する（ＳＷ１））や、露光開始スイッチ４３（図２のレリーズボタン２４の第２ストロークで閉成され、シャッターを駆動し露光動作を開始するスイッチ（ＳＷ２））や、メニュースイッチ４４（図２のメニュー釦２５に該当し、カメラのカラー液晶ディスプレイ５３にカメラの設定メニューを表示させる）や、スイッチ４６は、選択した状態を設定する設定スイッチ（図２セット釦１２に該当）がある。
【００２１】
撮影した画像の消去を行う消去スイッチ４７は、消去ボタン２７の押下によりオン状態となるスイッチであり、この消去スイッチ４７のオンにより、撮影された画像の中から不要な画像を指示し、消去することなどができる。
【００２２】
撮影した画像をカラー液晶ディスプレイに表示させる再生スイッチ４８は、再生釦９の押下によりオン状態となるスイッチであり、この再生スイッチ４８のオンによりシステム制御回路３９による制御でこの電子カメラを撮影モードから再生モードに切換えることができる。
【００２３】
これら以外にも、不図示のサブ電子ダイアル５５の回転により入力されるスイッチ、多方向入力スティック８によりＯＮするスイッチ、がある。図中では一つのスイッチとして書かれているが、複数のスイッチにより構成されている場合もある。また、これ以外にも不図示のスイッチが存在する。これらのスイッチは図２の各種釦やダイアル、レバーなどと連動している。
【００２４】
図２は、電子カメラの外観図である。図２に示すように、この電子カメラは、大きく分けて、カメラ本体２１とレンズ鏡筒２２とからなる。レンズ鏡筒には不図示のＡＦ／ＭＦ切換えスイッチがあり、オートフォーカスとマニュアルフォーカスの切換えを行うことができる。
【００２５】
カメラ本体２１には、光学ファインダ２３のほか、操作部としてレリーズボタン２４、メニュー釦２５、撮影モードダイアル２６、消去ボタン２７、多方向入力スティック８、再生釦９、電子ダイアル１１、サブ電子ダイアル５５、セット釦１２、メインスイッチ部材５１、その他の釦９９が設けられ、さらに、背面表示部としてカラー液晶ディスプレイ５３、上面液晶ディスプレイ５４、ＣＦカード蓋５２、が設けられている。
【００２６】
図３を使って多方向入力スティック８の説明を行う。多方向入力スティックは、短いスティック状の部材で上下左右方向にたおすことで入力を行うことが出来る。さらに、スティックを倒さずにまっすぐ押すこともできる。スティックを上下左右に倒すとカメラにそれぞれ、上、下、左、右のに対応したＳＷ信号として入力される。また、まっすぐ押す場合は、中央のＳＷ信号として入力される。
【００２７】
本実施形態では、多方向入力スティックで上下左右中央の入力を行っているが、上下左右中央に対応した別々の操作釦で構成してもよい。
【００２８】
撮影を行うのには、まずメインスイッチ部材５１をＯＮした後、撮影モードダイアル２６により所望の撮影モードを設定する。このときＴｖ優先ＡＥモードのシャッタースピードなどの設定が必要な場合、上面液晶ディスプレイ５４に表示される値をみながら電子ダイアル１１を用いて行う。レリーズ釦２４を半押し（ストローク中間まで押し込む）と測光動作とともにＡＦ動作を開始し、レリーズ釦を最後まで押し込むことによりシャッターが作動し露光動作した後、所定の処理を行い画像が記録媒体に書き込まれる。
【００２９】
再生釦９を押すとカラー液晶ディスプレイ５３に撮影した画像が表示される。サブ電子ダイアル５５を左右に回転させると別の画像を表示する。カラー液晶ディスプレイ５３に画像が表示されている状態で消去ボタンを押すと画像を消去することが可能である。
【００３０】
カメラの設定は設定釦所定の設定釦（９９の一部）を押して設定モードに入り、上面液晶ディスプレイ５４の表示を見ながら電子ダイアル１１、またはサブ電子ダイアル５５、を操作しておこなうものと、メニュー釦２５を押して、背面カラー液晶ディスプレイに表示されるメニュー表示を見ながらサブ電子ダイアル５５、多方向入力スティック８及び、セット釦１２で行うものとがある。
【００３１】
図４を用いて、電子カメラの上面液晶ディスプレイ５４の表示を説明する。
【００３２】
１０００はシャッター速度表示部でシャッター速度（ＴＶ値）以外にも、データ処理中のＢｕｓｙ、バックアップ電池警告、ＩＳＯ感度表示などをおこなう。１００１は絞り数値（Ａｖ値）表示部でこの部分だけで絞り数値を表示するほかに、１０００と１００１を組み合わせてＣＦ  ＦＵＬＬ表示、ＣＦエラー表示、測距点表示、エラーコード表示なども行う。
【００３３】
１００２は、撮影可能回数表示部で現在装着されている記録媒体に記録可能な撮影可能回数を表示する。この他にもセルフタイマー作動中のカウントダウン表示、バルブ露光時の経過時間表示を行う。
【００３４】
システム制御回路３９は、記録再生処理部１５を通して得る記録媒体１６の残り容量と、制御用メモリ３７に格納されている画像サイズの予測量を基に撮影可能回数を計算する。なお、制御用メモリ３７の中には、記録画像の大きさ、圧縮率、ＩＳＯ感度別に画像サイズの予測量が格納されている。ホワイトバランスブラケットが設定されているときはさらに１回の撮影動作で現像処理する回数（１回の露光で作成される画像数）で除算した数が表示される。
１００３はＩＳＯ設定モード中に表示されるＩＳＯ設定マークである。
【００３５】
１００４、１００６、１００５はそれぞれカスタム機能マーク、赤目マーク、電子音マークでそれぞれの設定がなされているときに点灯する。
【００３６】
１００８は測光モード表示、１００９はドライブ＆セルフモード表示である。１０１０は露出補正表示部で、マニュアル撮影モード時の露出レベル、ＡＥ撮影モードでの露出補正量、ＡＥＢ撮影時のＡＥＢレベル及び、ＷＢ−ＢＫＴ撮影時のブラケットレベルを表示する。さらに、記録媒体に書き込み中のプログレスバー表示もこの部分で行う。
【００３７】
１０１１はＡＥＢマーク、１０１２は調光補正マークでそれぞれＡＥＢ設定、調光補正設定がなされているときに点灯する。
【００３８】
１０１３は電池マークで電源の状態を全点灯、半分点灯、空点滅状態を表示する。
【００３９】
１０１４はホワイトバランス表示部で、オート、太陽光、日陰、くもり、電球、蛍光灯、ストロボ、マニュアル、色温度の９のマークのいづれか一つを点灯表示する。ホワイトバランスブラケット設定されると点灯から点滅表示になり、ブラケットが設定されていることを表す。ホワイトバランスのモードは、ホワイトバランス設定釦（不図示）を押下した後、電子ダイアル１１を操作することで変更が可能である。設定したホワイトバランスモードのホワイトバランス値が後述するホワイトバランス補正やホワイトバランスブラケットの基準値となる。
【００４０】
１０１５は記録画質表示部で画像の大きさＬ（ラージ）、Ｍ（ミドル）、Ｓ（スモール）と画像の圧縮率ファイン、ノーマル、非圧縮のＲＡＷなどが表示される。
【００４１】
１００７，１０１７はホワイトバランスシフト表示せ設定されたそれぞれ、グリーン⇔マゼンダ方向（１００７）および、ブルー⇔アンバー方向（１０１７）のシフト量を表示する。１０１６はホワイトバランスシフトマークでホワイトバランスのシフトが設定されている場合に表示する。
【００４２】
図５は、図２のカラー液晶ディスプレイ５３におけるメニュー表示であり、記録画素数（Ｑｕａｌｉｔｙ）、ホワイトバランス補正／ブラケット設定（ＷＢ−ＳＦＴ／ＢＫＴの設定）等の複数の機能の中から任意の機能を選択する画面である。ここでは、一例としてホワイトバランス補正／ブラケット設定（ＷＢ−ＳＦＴ／ＢＫＴの設定）を選択（フォーカス）している状態である。カメラがスタンバイ状態にあるときに、ＭＥＮＵ釦２５を押下すると、カラー液晶ディスプレイ５３に図５のようなメニューが表示され、表示された項目のどれかが選択された状態になる。選択されている項目は、サブ電子ダイアル５５を使用して変更することが出来る。設定変更したい項目にフォーカスを持っていき、セット釦１２を押下しすることにより、その項目の設定変更状態になる。項目により、メニュー画面右側に設定値の選択肢が表示される場合（不図示）と、その項目を設定するための新しい画面が表示される場合がある。
【００４３】
図６は、ホワイトバランスの補正（ＢＡ方向、ＧＭ方向それぞれ９ステップ）と、ホワイトバランスブラケット（ＢＡ方向又はＧＭ方向に±３）を設定する画面である。Ｂ−ＳＦＴ／ＢＫＴ項目をフォーカスさせて、セット釦を押すことによりこの画面になる。
【００４４】
座標の右側はアンバー、左側はブルー、上側はグリーン、下側はマゼンダの色をつけることにより補正の傾向を色により判別できるようにしている。設定画面では設定グラフ（中央からＡ，Ｇ，Ｂ，Ｍ方向にそれぞれ９段分の目盛り）、グラフ右側に補正項目名、ＢＡ方向の補正値、ＧＭ方向の補正値、ブラケット項目名、ブラケット段数表示を行う。さらに、画面下部には、操作部材のガイダンス表示を行う。
【００４５】
補正がかかっていない場合、ドットはグラフ中央に表示され、右側の数値表示は“０”となる。すなわち、この座標は絶対値で表示しているのではなく、設定しているホワイトバランスモードの標準値（補正がかかっていない状態）を原点として表示する。さらに、ブラケットがかかっていない場合は、１つのドットのみを表示し、グラフ右側には“±０”と表示する。
【００４６】
図７は、アンバー（Ａ）方向に＋３補正する場合の表示を表したものである。
【００４７】
多方向入力スティック８を右にたおすとアンバー（Ａ）方向の補正１〜９段。グラフ表示と共に右側に数値でＡ１〜Ａ９の表示を行う。多方向入力スティック８を左にたおすとブルー（Ｂ）方向の補正１〜９段。グラフ表示と共に右側に数値でＢ１〜Ｂ９の表示を行う。
【００４８】
図８は、グリーン（Ｇ）方向に＋２補正する場合の表示を表したものである。
【００４９】
多方向入力スティック８上でグリーン（Ｇ）方向の補正１〜９段。グラフ表示と共に右側に数値でＧ１〜Ｇ９の表示を行う。多方向入力スティック８下でマゼンダ（Ｍ）方向の補正１〜９段。グラフ表示と共に右側に数値でＭ１〜Ｍ９の表示を行う。
【００５０】
以上のように、表示手段であるカラー液晶ディスプレイ５３に、基準から、どれくらいの程度第１の色合い（アンバー）であるかを表すための基準点（グラフ中央）から第１の方向に伸ばした第１の座標軸（グラフ中央からアンバー方向への座標軸）と、基準から、どれくらいの程度第２の色合い（ブルー）であるかを表すための前記基準点（グラフ中央）から前記第１の方向と反対方向である第２の方向に伸ばした第２の座標軸（グラフ中央からブルー方向への座標軸）と、基準から、どれくらいの程度第３の色合い（グリーン）であるかを表すための前記基準点（グラフ中央）から第３の方向に伸ばした第３の座標軸（グラフ中央からグリーン方向への座標軸）と、基準から、どれくらいの程度第４の色合い（マゼンタ）であるかを表すための前記基準点（グラフ中央）から前記第３の方向と反対方向である第４の方向に伸ばした第４の座標軸（グラフ中央からマゼンタ方向への座標軸）とを有する色合い座標（Ａ−Ｂ軸とＧ−Ｍ軸を持つ図７、８の座標）が表示され、操作手段である多方向入力スティック８により図７、図８のように選択される。
【００５１】
図９は、ブルー（Ｂ）方向に＋３補正、補正なし、アンバー（Ａ）方向に＋３補正の３つの画像をブラケット撮影する場合の表示を表したものである。
【００５２】
ブラケットが設定されていない状態から、サブ電子ダイアル５５を右回転１クリックでＡＢ方向のブラケットが１段設定され、１クリックごとに１段づつ増加する。（０〜３段）
ＢＡ方向のブラケットが設定された状態で、サブ電子ダイアル５５を左にクリックするとＢＡ方向のブラケット量が減少する方向に１クリックあたり１段づつ変化する。
【００５３】
ブラケットが設定されると、グラフの右側に“ＡＢ±３”のように［ブラケット方向］［ブラケット段数］が表示される。
【００５４】
以上のように、表示手段であるカラー液晶ディスプレイ５３に、基準から、どれくらいの程度第１の色合い（アンバー）であるか、及び基準から、どれくらいの程度第２の色合い（ブルー）であるかを表す色合い表示（Ａ方向に９段、Ｂ方向に９段を持つＡＢ軸座標）がなされ、操作手段である多方向入力スティックにより、第１の選択として、所定の程度の第１の色合い、若しくは所定の程度の第２の色合いの選択（例えば、Ａ方向の３段目）、第２の選択として、前記所定の程度の第１の色合い、及び所定の程度の第２の色合いの両方の選択（例えば、ブラケット撮影のために、Ａ方向３段目及びＢ方向３段目）を行う。
【００５５】
図１０は、グリーン（Ｇ）方向に＋２補正、補正なし、マゼンタ（Ｍ）方向に＋２補正の３つの画像をブラケット撮影する場合の表示を表したものである。
【００５６】
ブラケットが設定されていない状態から、サブ電子ダイアル５５を左１クリックするとＧＭ方向のブラケットが１段設定され、１クリックごとに１段づつ増加する。（０〜３段）
ＧＭ方向のブラケットが設定された状態で、サブ電子ダイアル５５を右にクリックするとＧＭ方向のブラケット量が減少する方向に１段づつ変化する。ブラケットが設定されると、グラフの右側に“ＧＭ±２”のように［ブラケット方向］［ブラケット段数］が表示される。
【００５７】
以上のように、表示手段であるカラー液晶ディスプレイ５３に、基準から、どれくらいの程度第１の色合い（グリーン）であるか、及び基準から、どれくらいの程度第２の色合い（マゼンタ）であるかを表す色合い表示（Ｇ方向に９段、Ｍ方向に９段を持つＧＭ軸座標）がなされ、操作手段である多方向入力スティックにより、第１の選択として、所定の程度の第１の色合い、若しくは所定の程度の第２の色合いの選択（例えば、Ｇ方向の２段目）、第２の選択として、前記所定の程度の第１の色合い、及び所定の程度の第２の色合いの両方の選択（例えば、ブラケット撮影のために、Ｇ方向２段目及びＭ方向２段目）を行う。
【００５８】
設定が終了した後、セット釦１２を押すとホワイトバランス補正量、ブラケット量をカメラに設定し図５に復帰する。
【００５９】
メニュー釦２５を押すと変更した設定値をカメラに設定せずにメニュー画面に戻る。
【００６０】
次に、別の操作例について説明する。
【００６１】
上記には、１例としてＷＢブラケットを電子ダイアルで設定し、ＷＢ補正を多方向入力スティック８で設定したが、多方向入力スティックを切り換えて入力するようにしても良い（この場合、電子ダイアル操作のガイダンス表示ではなく、切換操作のガイダンス表示を行う（不図示））。
【００６２】
ＷＢ−ＳＦＴ／ＢＫＴ項目をフォーカスさせて、セット釦を押すと、ホワイトバランスの補正、ホワイトバランスブラケット設定画面になる。
【００６３】
ＷＢ補正入力状態になっている場合に、多方向入力スティックを左（右）に倒すとブルー（アンバー）方向の補正設定ができ、上（下）に倒すとグリーン（マゼンダ）方向の補正設定が可能である。
【００６４】
ＷＢ補正入力状態で多方向入力スイッチの中央プッシュを行うと、ＷＢブラケット入力状態になり、多方向入力スティックを右に倒すとブルー＝アンバー方向のブラケット設定が出来る。左に倒すと、ブルー＝アンバー方向に設定したブラケット量を減少させることが出来る。グリーン＝マゼンダ方向のブラケットに関しても、上に倒すとブラケット量を増加、下に倒すと減少させる設定が可能となる。
【００６５】
設定が終了した後セット釦１２を押すとホワイトバランス補正量、ブラケット量をカメラに設定し図５に復帰するのは同様である。
【００６６】
図１１は、ホワイトバランス補正の設定（ａ）、ブラケットの設定（ｂ）がなさえた場合の表示をあらわすものである。
【００６７】
ホワイトバランス補正が設定されると、上面液晶ディスプレイ５４のホワイトバランスシフトマーク１０１６を点灯させ、ホワイトバランスシフト表示（グリーン⇔マゼンダ方向）１００７、同（ブルー⇔アンバー方向）１０１７部分に補正量及び補正方向を表示する。図６（ａ）はアンバー（Ａ）方向に３段、グリーン（Ｇ）方向に２段のホワイトバランス補正がかかっていることを表す。
【００６８】
アンバー⇔ブルー方向の補正１段は、色温度変換フィルターの５ミレッドに相当し、グリーン⇔マゼンダ方向に関して単位は存在しないが、アンバーブルー方向の１段に相当する色変化に対応する色変化量となる補正量を１段として扱っている。
【００６９】
ホワイトバランスブラケットが設定されると、上面液晶ディスプレイ５４のホワイトバランスマークを点滅させホワイトバランスブラケットであることを表示し、ホワイトバランスシフト表示（ブルー⇔アンバー方向）１０１７の“ＧＭ”またはホワイトバランスシフト表示（グリーン⇔マゼンダ方向）１００７の“ＢＡ”部分を点滅させブラケットの方向を表示する。（図６（ｂ））さらに、露出補正表示部１０１０部分にブラケットのずらし段数を表示する。
【００７０】
ブラケットで現像する色温度の順は、ブルー⇔アンバー方向の場合、基準色温度、ブルー補正、アンバー補正の順となる。（標準の色温度に対して補正がかかっている場合があるので、ブラケットを行うときの基準となる色温度を基準色温度とする）グリーン⇔マゼンダ方向のブラケットでは、基準色温度、グリーン補正、マゼンダ補正の順となる。カメラ設定を変更することによりこれらの順序は変更可能である。（露光は１回なので、記録媒体に記録される順序が変わる。）
次に、補正手段である画像処理部２１の色処理部７により施される色処理について説明する。
【００７１】
撮像素子３から読み出され、Ａ／Ｄ変換器５によりデジタル信号に変換された後、バッファメモリ１３に一時的に記憶される画素信号は、まず、システム制御回路３９から与えられるホワイトバランス係数を用いた第１の色処理が施される。このホワイト係数を、たとえばＲ／Ｇ（グリーンに対する赤のバランス）＝０．５→１．５、Ｂ／Ｇ（グリーンに対する青のバランス）＝１．５→０．５に変化させると、ホワイトバランスを低→高色温度に変化させたことと同様になり、空でいえば青い空から夕焼けの空まで表現することができる。
【００７２】
次に、この画素信号は、システム制御回路３９から与えられるマトリックス係数を用いた第２の色処理が施される。このマトリックス係数（３×３）を変化させると、たとえば肌色の色再現を赤→黄に変化させることができる。
【００７３】
さらに、この画素信号は、システム制御回路３９から与えられる色差係数を用いた第３の色処理が施される。この色差係数を変化させると、第２の色処理におけるマトリックス係数の変化と同様、たとえば肌色の色再現を赤→黄に変化させることができる。
【００７４】
そして、この発明の電子カメラのシステム制御回路３９は、ブラケット撮影モードで撮影を行なう場合に、ホワイトバランス係数、マトリックス係数および色差係数の少なくとも１つを異ならせながら、撮像素子３から読み出され、Ａ／Ｄ変換器５によりデジタル信号に変換された後、バッファメモリ１３に一時的に記憶される画素信号に複数回の色処理を施すべく画像処理部、色処理部７を動作制御する。
【００７５】
本実施形態ではホワイトバランス係数を変えながら複数回の処理を行うホワイトバランスブラケット及び、標準の係数から値を変更して撮影を行うホワイトバランス補正に関して述べている。
【００７６】
図１２のフローチャートを参照しながら本実施形態の電子カメラにおけるブラケット撮影動作の手順を説明する。なお、これらの動作の制御はシステム制御回路３９によって行なわれる。
【００７７】
撮影動作を実行するにあたり、カメラの撮影モードやホワイトバランスブラケットなどの設定は前述の操作を行ってあらかじめ行われているものとする。ここで、上記で説明した図５乃至図１０のような画面のカラー液晶ディスプレイへの表示は、制御手段であるシステム制御回路３９によって表示制御される。
【００７８】
ＡＦ動作及び測光動作はレリーズ釦の半押し状態で行われ、シャッター駆動及び露光動作はレリーズ釦の全押しをトリガにして行うが、以下の説明はそれらの動作が順に行われたものとして説明している。
【００７９】
システム制御回路３９は測距３０を駆動し所定の測距処理をおこない、レンズ駆動回路２９により撮影レンズ１のフォーカシングレンズを駆動して、被写体に焦点を合わせる。同時に測光回路３１を駆動して得られる測光データを制御用メモリ３７の所定アドレスに保存する。（ステップｓ６１）。
【００８０】
次に制御用メモリ３７に保存された測光データからせ異御すべきシャッタースピード及び絞り値を計算し、それに従いシャッタ駆動回路２８によりシャッタ２を開放して撮像素子３を露光する。（あらかじめ撮像素子３の蓄積を開始した後、シャッター２を開放する）（ステップｓ６２、ｓ６３）。本実施例ではシャッターにより露光時間の制御を行っているため、撮像素子蓄積開始→シャッター開→シャッター閉→撮像素子蓄積終了の順になっているが、撮像素子の蓄積開始、終了により露光制御を行う場合は、シャッター開→撮像素子蓄積開始→撮像素子蓄積終了→シャッター閉の順でも良い。
【００８１】
シャッタ２を閉成した後（ステップｓ６４）、撮像素子３の露光終了を終了させ（ステップｓ６５）、撮像素子３から電荷信号を読み出し、プロセス回路４、Ａ／Ｄ変換器５、スイッチ７を介して、バッファメモリ１３に撮影画像のデータを書き込み（ステップｓ６６）、バッファメモリ１３に一時的に記憶される画素信号は、まず、システムコントローラ３９から与えられる標準のホワイトバランス係数を用いた第１の色処理を施すための設定が行われる。（ステップｓ６７）
次にホワイトバランス補正が設定されているか判定を行う（ステップｔ６７）。ホワイトバランス補正が設定されていれば、標準のホワイトバランス係数を補正設定した分に応じて変更し設定をしなおす。（ステップｕ６７）
（ステップｖ６７）に進み、ホワイトバランスブラケットの設定が行われているか判定し、ホワイトバランスブラケットの場合は、（ステップｗ６７）へ分岐する。ここでは、ホワイトバランスブラケットの何枚目の現像処理であるかに応じて、（ステップｕ６７）又は（ステップｓ６７）で設定した色処理係数にブラケット量分のプラスまたはマイナス補正をおこなった色処理係数を設定する。（ホワイトバランスブラケット１枚目が基準設定で現像する場合は、色処理係数を変更しない）
設定された色処理係数によって画像処理部、色処理部７を動作制御し、現像処理を行う。（ステップｓ６８）
画像処理及び色処理された画像は圧縮回路６で圧縮され記録再生処理部１５により記録媒体に記録する。（ステップｓ６９）
次にホワイトバランスブラケットが終了したかを判定する。ホワイトバランスブラケットが設定していない場合や、ホワイトバランスブラケットが終了した場合はリターンする。ホワイトバランスブラケットの現像が残っている場合は、再び現像処理を行うべくステップｓ６７へ戻る。
【００８２】
現像処理設定に戻ると、ホワイトバランス補正が設定されている場合、設定された補正量に従って色処理係数を変更し、ホワイトバランスブラケットの場合は、基準とは異なる色処理係数をさらに加味した係数が設定される。
【００８３】
このホワイト係数を、たとえばＲ／Ｇ（グリーンに対する赤のバランス）＝０．５→１．５、Ｂ／Ｇ（グリーンに対する青のバランス）＝１．５→０．５に変化させると、ホワイトバランスを低→高色温度に変化させたことと同様になり、空でいえば青い空から夕焼けの空まで表現することができる。
【００８４】
ホワイトバランスブラケットの全ての現像が終了するまで、（ステップｓ６７）〜（ステップｓ７０）を繰り返し撮影動作を終了し、不図示のカメラのメイン制御ルーチンに戻る。
【図面の簡単な説明】
【００８５】
【図１】電子カメラの内部の詳細な構成を示すブロック図
【図２】電子カメラの外観を示す図
【図３】多方向入力スティックの説明
【図４】電子カメラの上面液晶ディスプレイの表示を説明する図
【図５】メニュー画面
【図６】ＷＢ補正／ブラケット画面
【図７】ＷＢ補正（Ｂ−Ａ方向）の説明図
【図８】ＷＢ補正（Ｇ−Ｍ方向）の説明図
【図９】ＷＢブラケット（Ｂ−Ａ方向）の説明図
【図１０】ＷＢブラケット（Ｍ−Ｇ方向）の説明図
【図１１】上面液晶ディスプレイのＷＢ補正、ＷＢブラケット表示
【図１２】電子カメラにおけるブラケット撮影動作の手順を説明するためのフローチャート
【符号の説明】
【００８６】
１  撮影レンズ
２  メカシャッタ
３  撮像素子
４  プロセス回路
５  Ａ／Ｄ変換器
６  圧縮／伸張処理部
７  画像処理部
８  多方向入力スティック
９  再生釦
１０  背面表示部
１１  電子ダイアル
１２  セット釦
１３  バッファメモリ
１４  表示処理部
１５  記録再生処理部
１６  記録媒体
１８  コネクタ
２１  カメラ本体
２２  レンズ鏡筒
２３  光学ファインダ
２４  レリーズボタン
２５  メニュー釦
２６  撮影モードダイアル
２７  消去ボタン
２８  シャッタ駆動回路
２９  レンズ駆動回路
３０  測距回路
３１  測光回路
３２  ストロボ
３４  電源制御回路
３５  電源部
３６  表示装置
３７  制御用メモリ
３８  スイッチ群
３９  システム制御回路
４０  メインスイッチ
４２  測距測光スイッチ
４３  露光開始スイッチ
４４  メニュースイッチ
４６  設定スイッチ
４７  消去スイッチ
４８  再生スイッチ
５１  メインスイッチ部材
５２  ＣＦカード蓋
５３  カラー液晶ディスプレイ
５４  上面液晶ディスプレイ
５５  サブ電子ダイアル
９９  その他の釦
１０００  シャッター速度表示部
１００１  絞り数値（Ａｖ値）表示部
１００２  撮影可能回数表示部
１００３  ＩＳＯ設定マーク
１００４  カスタム機能マーク
１００５  電子音マーク
１００６  赤目マーク
１００７  ホワイトバランスシフト表示（グリーン⇔マゼンダ方向）
１００８  測光モード表示
１００９  ドライブ＆セルフモード表示
１０１０  露出補正表示部
１０１１  ＡＥＢマーク
１０１２  調光補正マーク
１０１３  電池マーク
１０１４  ホワイトバランス表示部
１０１５  記録画質表示部
１０１６  ホワイトバランスシフトマーク
１０１７  ホワイトバランスシフト表示（ブルー⇔アンバー方向）
【図１】
2006020194.tif 000003
【図２】
2006020194.tif 000004
【図３】
2006020194.tif 000005
【図４】
2006020194.tif 000006
【図５】
2006020194.tif 000007
【図６】
2006020194.tif 000008
【図７】
2006020194.tif 000009
【図８】
2006020194.tif 000010
【図９】
2006020194.tif 000011
【図１０】
2006020194.tif 000012
【図１１】
2006020194.tif 000013
【図１２】
2006020194.tif 000014